(57)【特許請求の範囲】
【請求項１】
液体透過性の上シートと；内表面及び外表面を有しており、上記上シートに接合されている裏シートと；上記上シートと上記裏シートとの間に配置された吸収核と；そして、生理用ナプキンを使用者のパンティに固定する為に上記裏シートの外表面上に配置された接着剤取り付け手段と；を備えている生理用ナプキンであって、
上記接着剤取り付け手段に取り外しライナーが取り外し可能に固定されていて、上記取り外しライナーが開口されたポリマーウエブを備えている、ことを特徴とする生理用ナプキン。
【請求項２】
上記裏シートは液体不透過性である、ことを特徴とする請求項１に記載の生理用ナプキン。
【請求項３】
上記接着剤取り付け手段は接着剤を備えている、ことを特徴とする請求項１又は２に記載の生理用ナプキン。
【請求項４】
上記開口されたポリマーウエブは微小な開口が形成されたポリマーウエブである、ことを特徴とする請求項１乃至３のいずれか１項に記載の生理用ナプキン。
【請求項５】
上記微小な開口が形成されたポリマーウエブは、上記ポリマーウエブの表面に対し垂直に向けられていて夫々が少なくとも１つの微小な開口を含んでいる個別の変形の模様を示している、ことを特徴とする請求項４に記載の生理用ナプキン。
【請求項６】
上記微小な開口が形成されたポリマーウエブは６．４５平方センチメートル当たり少なくとも略４００の上記変形を備えている、ことを特徴とする請求項４に記載の生理用ナプキン。
【請求項７】
上記微小な開口が形成されたポリマーウエブは６．４５平方センチメートル当たり少なくとも略１０００の上記変形を備えている、ことを特徴とする請求項４に記載の生理用ナプキン。
【請求項８】
上記微小な開口が形成されたポリマーウエブは６．４５平方センチメートル当たり少なくとも略２０００の上記変形を備えている、ことを特徴とする請求項４に記載の生理用ナプキン。
【請求項９】
上記微小な開口が形成されたポリマーウエブは６．４５平方センチメートル当たり少なくとも略３０００の上記変形を備えている、ことを特徴とする請求項４に記載の生理用ナプキン。
【発明の詳細な説明】
発明の分野
この発明は生理用ナプキンに関係しており、そしてより詳細には、改良された剥がしライナーを伴った生理用ナプキンに関係している。ここで使用された時、生理用ナプキンは、通常女性の生理期間中に女性により体の外側に装着されて月経及び他の膣排泄物を受け入れ包含するよう設計された吸収装置であると考慮される。使い捨て生理用ナプキンは、使用及び汚れ後に清浄にされたり再使用されたりするよりも捨てられることを意図されている。
発明の背景
それらの最も単純な形態において、使い捨て生理用ナプキンは、透過性の体接触要素（いつかは、上シートまたはオーバーラップとして引用される）と不透過性の保護バリアー（いつかは、裏シートとして引用される）との間に介在された吸収要素（いつかは、吸収核として引用される）を備えている。吸収要素は、月経及び他の膣排泄物を受け入れ包含することを、もちろん意図している。体接触要素は、体表面との多少なりとも乾いた感触の接触を提供するとともにそれを通した吸収要素中への流体の自由な通路を許容しているよう意図されている。保護バリアーは、吸収要素から離れた月経又は他の膣排泄物が使用者の衣類を汚すのを防止することを意図している。
上述した３つの機能要素に加えて、使い捨て生理用ナプキンには通常、吸収装置を使用者の股領域の近傍に取り付ける為の手段が設けられていて、その結果としてそれは使用者が動いた時にそれが意図している機能をそれが最も効率良く果たすことが出来る所定の場所に止まる。典型的には、生理用ナプキンには吸収装置を使用者の下着の内側股領域に固定する為の接着取り付け手段が設けられている。
使用において生理用ナプキンが載置される前には、接着取り付け手段は、使用前に下着の股部以外の表面に接着剤が接着してしまわないようにしておく為に除去可能な剥がしライナーにより典型的には覆われている。
典型的な剥がしライナーは、シリコンにより被覆されている例えば紙の如き基材を備えている。シリコンは剥がしライナーが接着剤に対し剥がれ可能に固定されることを許容しており、これによって接着取り付け手段の接着剤の性質を損なうことなく接着剤を保護し、従って、シリコンにより被覆されている剥がしライナーが一旦取り除かれると生理用ナプキンが使用者の下着に固定することを許容する。
シリコンにより被覆されている剥がしライナーがその機能を果たす一方で、これらは幾分高価である。さらには、これら被覆されている紙の構造は、生理用ナプキンから取り除かれる時、そしてバッグ中に携帯する時、騒がしい。その為に、従来のシリコンにより被覆されている剥がしライナーの利点及び機能の全てをより低コストで提供する剥がしライナーを提供することが望まれている。さらには、従来のシリコンにより被覆されている剥がしライナーの利点及び機能の全てを提供するより静かな剥がしライナーを提供することが望まれている。
発明の概要
この発明は、液体透過性の上シートと；内表面及び外表面を有しており、上記上シートに接合されている裏シートと；上記上シートと上記裏シートとの間に配置された吸収核と；そして、生理用ナプキンを使用者のパンティに固定する為に上記裏シートの外表面上に配置された接着剤取り付け手段と；を備えている生理用ナプキンであって、上記接着剤取り付け手段に取り外しライナーが取り外し可能に固定されていて、上記取り外しライナーが開口されたポリマーウエブを備えている、ことを特徴とする生理用ナプキンに関係している。
この明細書及び請求の範囲を解釈する目的の為に、用語「巨視的に膨脹された（ｍａｃｒｏｓｃｏｐｉｃａｌｌｙ  ｅｘｐａｎｄｅｄ）」は、この発明の３次元プラスチックウエブ，リボン，そしてフィルムに対して使用された時、３次元形状構造の表面に形が合うようにされているウエブ，リボン，そしてフィルムを引用している。３次元形状構造の表面に形が合うようにされている結果としてこれらの両者の表面は、形成している構造の巨視的な断面に対応している３次元パターンの表面の変形（ａｂｅｒｒａｔｉｏｎ）を示している。このパターンを備えている表面の変形は通常の裸眼に対しては個々に識別可能であり、即ち、観察者の目とウエブの平面との間の垂直な距離が略１２インチである時に、物体の明白な寸法や距離を変えたり、その他には目の視力を変化させるようないかなる道具によっても助けられることがない通常の裸眼は、２０／２０視力を有している。また、この明細書及び請求の範囲を解釈する目的の為に、用語「平坦な（ｐｌａｎａｒ）」は、この発明のプラスチックウェブ，リボン，そしてフィルムを記載する為にここで使用された時、巨視的な尺度で通常の裸眼により見た時のウェブ，リボン，またはフィルムの全体の状態を意味している。このような意味合いにおいて「平坦な（ｐｌａｎａｒ）」ウェブ，リボン，そしてフィルムは、その一方の側または両側に微細な尺度では見ることが可能な表面の変形（ａｂｅｒｒａｔｉｏｎ）の模様（ｐａｔｔｅｒｎ）を有しているウェブ，リボン，そしてフィルムを含むことが出来る。この表面の変形（ａｂｅｒｒａｔｉｏｎ）は、観察者の目とウエブの平面との間の垂直な距離が略１２インチである時に、通常の裸眼では個々に見ることが出来ない視覚模様（ｖｉｓｉｂｌｅ  ｐａｔｔｅｒｎ）を備えている。
図面の簡単な記載
明細書がこの発明を特に指摘しそして明確に請求している請求の範囲で結論づけられている一方で、この発明は、同様な参照番号が同じ構成要素を指摘している以下の図面と共に以下の記載からより良く理解されると信じる。そして、ここにおいては：
図１は、下に横たわっている構造を明かにする為に切り欠かれた部分を有している、この発明の生理用ナプキンの実施例の上面図であり；
図２は、図１の断面線２−２に沿った図１中に示されている生理用ナプキンの断面図であり；
図３は、個々の表面変形の頂点に微小開口を有している微細な尺度の表面変形の全体模様を有しているこの発明の平坦な高分子ウエブの大きく拡大され簡略化されている概略的な断面図であり；そして、
図４は、図３中の断面図中に概略的に図示されている形式の微小開口ウエブの一部分の大きく拡大され簡略化されている斜視図である。
発明の詳細な記載
図１は平坦な状態にあるこの発明の生理用ナプキン２０の平面図であって、その構造の一部は生理用ナプキン２０の構造をより明確に示す為に切り欠かれており、また装着者に面する、または接触する生理用ナプキン２０の部分がこの図面を見ている者の方に向けられている。図１中に示されている如く、生理用ナプキン２０は好ましくは、液体透過性の上シート２４と、上シート２４に接合されている液体不透過性の裏シート２６と、そして上シート２４と裏シート２６との間に配置された吸収核２８と、を備えている。
生理用ナプキン２０は２つの表面を有していて、体接触表面または「体表面」と衣類表面である。図１中に示されている時に生理用ナプキン２０は、その体表面から見られている。生理用ナプキン２０が装着された時に、体表面は装着者の体に隣接して装着されることを意図されていて、また衣類表面は反対側にあって装着者の下着に隣接して配置されることを意図されている。生理用ナプキン２０は２つの中心線を有していて、長手方向中心と横断方向中心線である。用語「長手方向（ｌｏｎｇｉｔｕｄｉｎａｌ）」は、ここで使用された時、生理用ナプキン２０が装着された時に立っている装着者の体を左半分と右半分とに分割する垂直平面に概略沿っている（即ち、概略平行である）生理用ナプキン２０の平面中の線，軸，または方向を引用する。用語「横断（ｔｒａｎｓｖｅｒｓｅ）」または「側方（ｌａｔｅｒａｌ）」は、ここで使用された時、相互に交換可能であり、そして長手方向に対して略直角である生理用ナプキン２０の平面中に横たわる線，軸，または方向を引用する。図１はまたは、長手方向縁が３０により指摘され、端縁が３２により指摘されている生理用ナプキン２０の外縁により規定されている周辺を有している。
上シート，裏シート，そして吸収核は種々の良く知られている形態（いわゆる「チューブ（ｔｕｂｅ）」製品またはサイドフラップ製品を含んでいる）で組み立てられていることが出来、好適な生理用ナプキンの形態は、１９９０年８月２１日付けでオスボーン（Ｏｓｂｏｒｎ）に対し発行された米国特許第４，９５０，２６４号；１９８４年１月１０日付けでデスマレイス（ＤｅｓＭａｒａｉｓ）に対し発行された米国特許第４，４２５，１３０号；１９８２年３月３０日付けでアー（Ａｈｒ）に対し発行された米国特許第４，３２１，９２４号；そして、１９８７年８月１８日付けでファン  ティルバーグ（Ｖａｎ  Ｔｉｌｂｕｒｇ）に対し発行された米国特許第４，５８９，８７６号中に概略的に記載されている。これらの特許の夫々の記載内容は、これらの特許がここに引用されることにより、本願の明細書の記載中に組み込まれる。
図１は生理用ナプキン２０の好適な実施例を示しており、ここにおいては上シート２４及び裏シート２６が吸収核２８の長さ及び幅の寸法よりも一般には大きな長さ及び幅の寸法を有している。上シート２４及び裏シート２６は吸収核２８の縁を越え、それによって周辺部を形成する。
吸収核２８は、液体（例えば月経及び／又は小水）を吸収することが出来るともに包含していることが出来るいかなる吸収手段であることが出来る。図１中に示されている如く、吸収核２８は体表面，衣類表面、側縁，そしてパッド縁を有している。吸収核２８は、幅広い種々の寸法及び形状（例えば、四角形状，砂時計形状，犬の骨形状，非対称形状，その他）で、生理用ナプキン中に通常使用されている幅広い種々の液体吸収材料及びエアフェルト（ａｉｒｆｅｌｔ）として通常は引用されている細分された木材パルプの如き他の吸収製品から製造されることが出来る。他の適切な吸収材料の例は、皺にされた（ｃｒｅｐｅｄ）セルロースワディング（ｃｅｌｌｕｌｏｓｅ  ｗａｄｄｉｎｇ）；コフォーム（ｃｏｆｏｒｍ）を含んでいる溶融吹き出しポリマー（ｍｅｌｔｂｌｏｗｎ  ｐｏｌｙｍｅｒ）；化学的に硬化され（ｓｔｉｆｆｅｎｅｄ），変形され（ｍｏｄｉｆｉｅｄ），または横断連結されている（ｃｒｏｓｓ−ｌｉｎｋｅｄ）セルロース繊維；ひだ付けされている（ｃｒｉｍｐｅｄ）ポリエステル繊維の如き人工繊維；ピートモス（ｐｅａｔ  ｍｏｓｓ）；ティッシュ−ラップ（ｔｉｓｓｕｅ  ｗｒａｐ）及びティッシュ−ラミナート（ｔｉｓｓｕｅ  ｌａｍｉｎａｔｅ）を含んでいるティッシュ−（ｔｉｓｓｕｅ）；吸収発泡体；吸収スポンジ；超吸収ポリマー；吸収ゲル材料；または、これらの材料のいかなるいかなる均等物，または組み合わせ，または混合を含む。吸収核の形態及び構成もまた変化されることが出来る（例えば吸収核は、変化している高さ（ｃａｌｉｐｅｒ）区域（例えば、中央が厚くなるように形作られている），親水傾斜（ｈｙｄｒｏｐｈｉｌｉｃ  ｇｒａｄｉｅｎｔ），超吸収傾斜，またはより低い密度及びより低い平均基本重量を獲得している区域を有しているか；または、１つまたはより多くの層または構造を有していることが出来る）。吸収核の全吸収能力は、しかしながら、生理用ナプキンの設計負荷及び意図している用途に適合しなければならない。さらに、吸収核の寸法及び吸収容量は、例えば失禁用パッド，パンティーライナー，通常の生理用ナプキン，または夜間用生理用ナプキンの如き異なった使用を受け入れるよう変化されることが出来る。
この発明の吸収核として使用する為の例示的な吸収構造は、１９９０年８月２１日付けでオスボーン（Ｏｓｂｏｒｎ）に対し発行され「薄い、柔軟な生理用ナプキ（Ｔｈｉｎ，  Ｆｌｅｘｉｂｌｅ  Ｓａｎｉｔａｒｙ  Ｎａｐｋｉｎ）」と題された米国特許第４，９５０，２６４号；１９８６年９月９日付けでワイズマンその他（Ｗｅｉｓｅｍａｎ  ｅｔ  ａｌ．）に対し発行され「高密度吸収構造（Ｈｉｇｈ−Ｄｅｎｓｉｔｙ  Ａｂｓｏｒｂｅｎｔ  Ｓｔｒｕｃｔｕｒｅ）」と題された米国特許第４，６１０，６７８号；１９８９年５月３０日付けでアレマニイその他（Ａｌｅｍａｎｙ  ｅｔ  ａｌ．）に対し発行され「より低い密度及びより低い基本重量獲得区画を有している高密度吸収部材（Ｈｉｇｈ  Ｄｅｎｓｉｔｙ  Ａｂｓｏｒｂｅｎｔ  Ｍｅｍｂｅｒｓ  Ｈａｖｉｎｇ  Ｌｏｗｅｒ  Ｄｅｎｓｉｔｙ  ａｎｄ  Ｌｏｗｅｒ  Ｂａｓｉｓ  Ｗｅｉｇｈｔ  Ａｃｑｕｉｓｉｔｉｏｎ  Ｚｏｎｅｓ）」と題された米国特許第４，８３４，７３５号；そして、デュエンクその他（Ｄｕｅｎｋ，  ｅｔ  ａｌ．）の名前で１９８６年１０月２２日に発行されたプロクター・アンド・ギャンブル社（Ｔｈｅ  Ｐｒｏｃｔｅｒ  ＆  Ｇａｍｂｌｅ  Ｃｏｍｐａｎｙ  Ｃｏｍｐａｎｙ）のヨーロッパ特許出願第０１９８６８３号中に記載されている。これらの特許の夫々の記載内容は、これらの特許がここに引用されることによりこの明細書の記載内容中に組み込まれる。
裏シート２６及び上シート２４は吸収核２８の衣類表面及び体表面に夫々隣接して配置されていて、当該技術分野において良く知られているものの如き取り付け手段（図示しない）により、好ましくはそこに、そして相互に接合されている。例えば裏シート２６及び／または上シート２４は、接着剤の均一で連続している層，接着剤の模様層，または接着剤の分離した線や螺旋や点の配列により、吸収核２８に対し、または相互に、固定されることが出来る。満足されることが発見されている接着剤は、製品番号ＨＬ−１２５８またはＨ−２０３１の下でミネソタ州セントポール（Ｓｔ．  Ｐａｕｌ）のＨ．Ｂ．フラー社（Ｆｕｌｌｅｒ  Ｃｏｍｐａｎｙ）により製造されている。取り付け手段は好ましくは、１９８６年３月４日付けでミネトーラその他（Ｍｉｎｅｔｏｌａ，  ｅｔ  ａｌ．）に対し発行され「使い捨て廃棄−包含衣類（Ｄｉｓｐｏｒｓａｂｌｅ  Ｗａｓｔｅ−Ｃｏｎｔａｉｎｍｅｎｔ  Ｇａｒｍｅｎｔ）」と題された米国特許第４，５７３，９８６号中に記載されている如き接着剤のフィラメントの開口模様網状製品を備えていることが好ましい。この米国特許の記載内容は、この米国特許がここに引用されていることによりこの明細書の記載内容に組み込まれる。フィラメントの開口模様網状製品の例示的な取り付け手段は、１９７５年１０月７日付けでスプラング・ジュニア（Ｓｐｒａｎｇｕｅ，Ｊｒ．）に対し発行された米国特許第３，９１１，１７３号；１９７８年１１月２２日付けでツェーカーその他（Ｚｉｅｋｅｒ，  ｅｔ  ａｌ．）に対し発行された米国特許第４，７８５，９９６号；そして、１９８９年６月２７日付けでウレニッツ（Ｗｅｒｅｎｉｃｚ）に対し発行された米国特許第４，８４２，６６６号中に示されている装置及び方法により図示されている如き螺旋模様へと巻かれた接着剤フィラメントの幾つかの線を備えている。なおこれら米国特許の夫々の記載内容は、これら米国特許がここに引用されていることによりこの明細書の記載内容に組み込まれる。また、取り付け手段は、熱接着，圧力接着，超音波接着，動的機械的接着、またはいかなる他の適切な取り付け手段、または当該技術分野において知られている如きこれらの取り付け手段の組み合わせを備えることが出来る。
裏シート２６は液体（例えば、月経及び／または小水）に対し不浸透性であり、そして好ましくは薄いプラスチックから製造されるが、他の柔軟で液体不浸透性な材料もまた使用することが出来る。ここで使用される時、用語「柔軟な（ｆｌｅｘｉｂｌｅ）」は、人体の概略的な形及び輪郭に従い容易に変形する材料を引用している。裏シート２６は、吸収核２８中に吸収され包含されている排泄物が、例えばパンツ，パジャマ，及び下着の如き、生理用ナプキン２０に接触する物品を濡らすことを防止している。裏シート２６は従って、織られているか、または織られていない材料、ポリエチレンまたはポリプロピレンの熱可塑性フィルムの如きポリマーフィルム、またはフィルムが被覆された織られていない材料の如き複合材料を備えることが出来る。好ましくは裏シートは、略０．０１２ｍｍ（０．５ｍｉｌ）から０．０５１ｍｍ（２．０ｍｉｌ）の厚さを有しているポリエチレンフィルムである。例示的なポリエチレンフィルムは、製品番号Ｐ１８−０４０１の下でオハイオ州シンシナチ（Ｃｉｎｃｉｎｎａｔｉ）のクロペイ社（Ｃｌｏｐａｙ  Ｃｏｒｐｏｒａｔｉｏｎ）により製造されているとともに、製品番号ＸＰ−３９３８５の下で、インディアナ州テールホート（Ｔｅｒｒｅ  Ｈａｕｔｅ）のエチル社（Ｅｔｈｙｌ  Ｃｏｒｐｏｒａｔｉｏｎ）のビスクイーン部（Ｖｉｓｑｕｅｅｎ  Ｄｉｖｉｓｉｏｎ）により製造されている。裏シートは好ましくは浮き出し加工（ｅｍｂｏｓｓｅｄ）及び／又は艶消し（ｍａｔｔｅ）仕上げされていて、より布のような外観を提供する。さらに、裏シート２６は蒸気が吸収核２８から逃げるのを許容出来る（即ち、呼吸可能）とともに、排泄物が裏シート２６を通過することを依然として防止している。
上シート２４は従順で、柔らかな感触をし、そして装着者の皮膚を刺激する事がない。さらに上シート２４は、その厚さを液体（月経及び／又は小水）が容易に通過するよう液体透過性である。適切な上シート２４は、織られている材料及び織られていない材料；開口形成熱可塑性フィルム，開口されたプラスチックフィルム，そして油圧成形された（ｈｙｄｒｏｆｏｒｍｅｄ）熱可塑性フィルムの如きポリマー材料；多孔性発泡体；網状（ｒｅｔｉｃｕｌａｔｅｄ）熱可塑性プラスチックフィルム；そして熱可塑性プラスチックスクリム（ｓｃｒｉｍ）の如き幅広い範囲の材料から形成することが出来る。適切な織られている材料及び織られていない材料は、天然繊維（例えば、木または綿繊維）、人造繊維（例えばポリエステル，ポリプロピレン，またはポリエチレン繊維、または天然繊維と人造繊維との組み合わせにより構成することが出来る。好適な上シートは開口して熱成形されたフィルムである。開口して熱成形されたフィルムは上シートの為に好適であり、何故ならばこれらは体排泄物に対して透過性であり、そして依然と非吸収性であって、そして液体が逆流して通過し装着者の皮膚を再び濡らすことを許容する傾向を減少させている。従って、体と接触している熱成形フィルムの表面は乾いたままに保たれ、これによって体の汚れを減少させるとともに装着者の為により快適な感触を創出している。適切な熱成形フィルムは、１９７５年１２月３０日付けでトンプソン（Ｔｈｏｍｐｓｏｎ）に対し発行され「テーパ状の毛細管を有している吸収構造（Ａｂｓｏｒｐｔｉｖｅ  Ｓｔｒｕｃｔｕｒｅｓ  Ｈａｖｉｎｇ  Ｔａｐｅｒｅｄ  Ｃａｐｉｌｌａｒｉｅｓ）」と題された米国特許第３，９２９，１３５号；１９８２年４月１３日付けでムラーヌその他（Ｍｕｌｌａｎｅ，  ｅｔ  ａｌ．）に対し発行され「汚れ抵抗上シートを有している使い捨て吸収物品（Ｄｉｓｐｏｓａｂｌｅ  Ａｂｓｏｒｂｅｎｔ  Ａｒｔｉｃｌｅ  Ｈａｖｉｎｇ  Ａ  Ｓｔａｉｎ  Ｒｅｓｉｓｔａｎｔ  Ｔｏｐｓｈｅｅｔ）と題された米国特許第４，３２４，２４６号；１９８２年８月３日付けでラデルその他（Ｒａｄｅｌ．  ｅｔ  ａｌ．）に対し発行され「繊維状性質を発揮している弾性プラスチックウエブ（Ｒｅｓｉｌｉｅｎｔ  Ｐｌａｓｔｉｃ  Ｗｅｂ  Ｅｘｈｉｂｉｔｉｎｇ  Ｆｉｂｅｒ−Ｌｉｋｅ  Ｐｒｏｐｅｒｔｉｅｓ）」と題された米国特許第４，３４２，３１４号；１９８４年７月３１日付けでアーその他（Ａｈｒ，  ｅｔ  ａｌ．）に対し発行され「光沢していない可視表面及び布状触感印象を発揮している巨視的に膨脹している３次元プラスチックウエブ（Ｍａｃｒｏｓｃｏｐｉｃａｌｌｙ  Ｅｘｐａｎｄｅｄ  Ｔｈｒｅｅ−Ｄｉｍｅｎｓｉｏｎａｌ  Ｐｌａｓｔｉｃ  Ｗｅｂ  Ｅｘｈｉｂｉｔｉｎｇ  Ｎｏｎ−Ｇｌｏｓｓｙ  Ｖｉｓｉｂｌｅ  Ｓｕｒｆａｃｅ  ａｎｄ  Ｃｌｏｔｈ−ｌｉｋｅ  Ｔａｃｔｉｌｅ  Ｉｍｐｒｅｓｓｉｏｎ）」と題された米国特許第４，４６３，０４５号；そして、１９９１年４月９日付けでバード（Ｂａｒｄ）に対し発行され「多層ポリマーフィルム（Ｍｕｌｔｉｌａｙｅｒ  Ｐｏｌｙｍｅｒｉｃ  Ｆｉｌｍ）」と題された米国特許第５，００６，３９４号中に記載されている。これらの米国特許の夫々の記載内容は、これらの特許がここに引用されることにより、本願の明細書の記載内容に組み込まれる。この発明の為の好適な上シートは、上述した特許の１つまたはそれ以上の中に記載されていて、「ドライ−ウイーブ（ＤＲＩ−ＷＥＡＶＥ）」としてオハイオ州シンシナチ（Ｃｉｎｃｉｎｎａｔｉ）のプロクター・アンド・ギャンブル社（Ｐｒｏｃｔｅｒ  ＆  Ｇａｍｂｌｅ  Ｃｏｍｐａｎｙ）によって生理用ナプキンの市場に出された熱成形フィルムである。
この発明の好適な実施例においては、熱成形フィルムの上シートの体表面は、月経流体が吸収核中に流れ込みそして吸収核により吸収されるよりも上シートから流れ落ちる傾向を減少させるよう、体表面が親水性ではなかった場合よりも早く液体が上シートを通過することを助けるよう親水性である。好適な実施例においては界面活性剤が、アジスその他（Ａｚｉｚ，ｅｔ  ａｌ．）により１９９１年１１月１９日付けで提出された「織られておらず開口されているフィルムカバーシートを有している吸収製品（Ａｂｓｏｒｂｅｎｔ  Ａｒｔｉｃｌｅ  Ｈａｖｉｎｇ  Ａ  Ｎｏｎｗｏｖｅｎ  ａｎｄ  Ａｐｅｒｔｕｒｅｄ  Ｆｉｌｍ  Ｃｏｖｅｒｓｈｅｅｔ）」と題されている米国特許出願第０７／７９４，７４５号中に記載されている如き熱成形フィルム上シートのポリマー材料中へと組み込まれている。あるいは上シートの体表面を、オズボーン（Ｏｓｂｏｒｎ）に対し発行されており上に引用されている米国特許第４，９５０，２５４号中に記載されている如く、界面活性剤で処理をすることによっても親水性にすることが出来る。
図２は、図１の断面線２−２に沿った生理用ナプキン２０の断面図である。図２中で見る事が出来るように、裏シート２６は２つの表面を有しており、内表面３４と外表面３５である。内表面３４は吸収核２８の近傍に配置されていて、外表面３５は反対側であって生理用ナプキン２０が装着された時に装着者の下着に隣接して配置されることを意図されている。生理用ナプキン２０は、生理用ナプキンを装着者の下着に取り付ける為の接着剤取り付け手段３６を含んでいる。接着剤取り付け手段３６は、生理用ナプキンの技術分野において生理用ナプキンを使用者の下着の内股領域に固定する為に通常使用されている接着剤３７の如きいかなる従来の材料も使用することが出来る。従って、裏シート２６の外表面３５の一部または全てが接着剤３７により被覆されている。このような目的の為に当該技術において使用されたいかなる接着剤またはグルー（ｇｌｕｅ）もここにおいて接着剤の為に使用することが出来るが、感圧接着剤が好ましい。適切な接着剤は、ミネソタ州セントポール（Ｓｔ．  Ｐａｕｌ）のＨ．Ｂ．フラー社（Ｆｕｌｌｅｒ  Ｃｏｍｐａｎｙ）により製造されたフラー（Ｆｕｌｌｅｒ）２２３８ＸＺＰ及びフラー（Ｆｕｌｌｅｒ）３７７ＸＺＰである。適切な接着剤固定具は、１９９０年４月１７日付けでオズボーンその他（Ｏｓｂｏｒｎ  ｅｔ  ａｌ．）に対し発行された米国特許第４，９１７，６９７号中にも記載されている。
生理用ナプキン２０が使用において載置される以前には、接着剤取り付け手段３６は、使用に先立ってパンティの股部以外の表面に接着剤が接着してしまわないようにしておく為に、除去可能な取り外しライナー３８により覆われている。図３及び図４を参照すると、この発明の取り外しライナー３８の特に好ましい実施例が示されている。取り外しライナー３８は、微小開口が形成されている平坦なポリマーウエブ４０を備えている。微小開口が形成されている平坦なポリマーウエブ４０は、個別の表面変形５０の微細な尺度の模様を発揮している。個々の表面変形５０は、表面変形が生じている表面に対し実質的に垂直にその大きさをを向けられている。少なくとも１つの微小な開口、即ち微小開口５５が、個々の表面変形の最大大きさと実質的に一致して設けられている。個々の表面変形５０はその周辺に比較的薄く不規則に形成された花弁５６を有している火山形状の開口５５を有している。図３からもまた観察することが出来るように、花弁５６の最外端は実質的に薄くされている。微小開口５５は所望のいかなる特定の形状で良い。
微小開口５５は、接着剤を汚染することが出来る十分な量の汚れまたは破片（ｄｅｂｒｉｓ）の通路をそれらが許容しないよう適切に寸法が設定されている。好ましくは、個々の微小な開口が形成されている表面変形が略２０ｍｉｌまたはそれ以下、最も好ましくは略１０ｍｉｌまたはそれ以下、の最大横断面寸法を有している。微細な尺度の微小な開口が形成されている表面変形の密度は、１平方インチ当たり（６．４５平方センチメートル当たり）少なくとも略４００の変形、好ましくは１平方インチ当たり（６．４５平方センチメートル当たり）少なくとも略１０００の変形、さらに好ましくは１平方インチ当たり（６．４５平方センチメートル当たり）少なくとも略２０００の変形、そして最も好ましくは１平方インチ当たり（６．４５平方センチメートル当たり）少なくとも略３０００の変形、である。微細な尺度の微少な開口が形成されている表面変形の密度は、１平方インチ当たり（６．４５平方センチメートル当たり）最大１０，０００の変形であることが出来る。さらには、あらゆる所定の微小な開口が形成されている表面変形とあらゆる所定の方向において隣接する変形との間の距離は、中心間で略２５ｍｉｌを越えるべきではないことが好ましい。図３中において見ることが出来るように、微小開口５５の存在は、接着剤と接触し、従って接着剤の接着性を保持しているとともに埃及び他の汚染物からの接着剤の十分な保護を提供しているポリマー材料の量を大きく減少させている。
微小な開口が形成されているウエブは、平坦なポリマーフィルムのウエブが支持部材上に支持されている間に平坦なポリマーフィルムのウエブの露出されている表面上における高圧液体の噴射により製造することが出来る。このような工程の例は、１９８６年１２月１６日付けでカロその他（Ｃｕｒｒｏ  ｅｔ  ａｌ．）に対し発行された米国特許第４，６２９，６４３号中に記載されている。そしてこの米国特許の記載内容は、この米国特許がここに引用されたことによりこの明細書の記載内容に組み込まれる。
この発明の特定の実施例が図示され記載されてきたが、種々の他の変更や変形をこの発明の精神及び権利範囲から離れることなく形成することが出来ることはこの技術において習熟している者には明白である。それ故に、この発明の権利範囲中にある全てのこのような変更及び変形は添付の請求の範囲中で保護することを意図している。
【図１】
0004194658.tif 000002
【図２】
0004194658.tif 000003
【図３】
0004194658.tif 000004
【図４】
0004194658.tif 000005